(57)【要約】      （修正有）【課題】筐体の設計自由度が高く、組み立てが簡単なディスプレイ装置を提供する。【解決手段】マトリクス状に配置された複数の表示ユニットが筐体２に固定されたディスプレイ装置であって、筐体が、四角形の枠形状の周囲フレームと、この周囲フレームに固定された複数の交差する横フレーム１６と縦フレーム１７とで構成され、複数の交差する横フレームと縦フレームとが、交差部分で離散的に締結される締結手段により締結されており、横フレームと縦フレームとに形成されたスリット同士が嵌合しており、筐体の背面に補強用横フレーム２５が、横フレームにスリットを挟んで締結されている。【選択図】図１１
2019215553.tif 000002
【特許請求の範囲】
【請求項１】
マトリクス状に配置された複数の表示ユニットが筐体に固定されたディスプレイ装置であって、
前記筐体が、四角形の枠形状の周囲フレームと、この周囲フレームに固定された複数の交差する横フレームと縦フレームとで構成され、前記複数の交差する横フレームと縦フレームとが、交差部分で離散的に締結される締結手段により締結されており、
前記横フレームと前記縦フレームとに形成されたスリット同士が嵌合しており、
前記筐体の背面に補強用フレームが、前記横フレームと前記縦フレームのうち少なくとも一方のフレームに、前記スリットを挟んで締結されたことを特徴とするディスプレイ装置。
【請求項２】
それぞれの表示ユニットは、発光素子がマトリクス状に配置された基板と前記発光素子に電力を供給するための電源とを備えたことを特徴とする請求項１に記載のディスプレイ装置。
【請求項３】
前記締結手段は、リベットによる締結であることを特徴とする請求項１または２に記載のディスプレイ装置。
【請求項４】
前記周囲フレームは、長手方向に伸びた４個のフレームがそれぞれのフレームの端部に固定された直角に曲がったコーナー金具を介して締結されて、四角形の枠形状となっていることを特徴とする請求項１から３のいずれか１項に記載のディスプレイ装置。
【請求項５】
請求項１から４のいずれか１項に記載のディスプレイ装置が複数、隣り合うディスプレイ装置の前記筐体の外周面の一面同士が接触した状態で固定されて配置されていることを特徴とするディスプレイ装置。
【発明の詳細な説明】
【技術分野】
【０００１】
本発明は、ＬＥＤ（発光ダイオード）等の多数の表示素子が前面に配列された表示ユニットを、左右（横）、上下（縦）方向に複数台連結して構成した大型映像表示装置に関するものである。
【背景技術】
【０００２】
ＬＥＤ（発光ダイオード）の輝度の向上に伴い、ＬＥＤを光源としてマトリクス状に配置した表示ユニットを用いたディスプレイ装置が、道路沿い、駅前、野球場や競馬場などの各種施設に設置されるようになってきた。このようなディスプレイ装置は、ビル等の建造物への固定設置や、大型車両の荷台等に搭載して移動する可搬式等、用途や目的に応じた据え付け構成が採用される。複数の表示ユニットを配置したディスプレイ装置を基本構成単位として、このディスプレイ装置の数を適宜選択することによって、表示画面の大きさを比較的自由に設定することができる。
【０００３】
ディスプレイ装置の基本構成単位の構造として、例えば、特許文献１に記載されたような構造がある。この構造では、前面に開口が設けられた筐体に、防水加工が施された表示ユニットが複数搭載されて構成されている。
【０００４】
またディスプレイ装置を複数台組み合わせて大きな表示画面を構成する際、ディスプレイ装置同士を精度よく並べる必要がある。このときのディスプレイ装置同士の位置関係を精度よく決める構造として、例えば、特許文献２、あるいは特許文献３に記載されたような構造がある。
【先行技術文献】
【特許文献】
【０００５】
【特許文献１】特開２００９−１９８６３１号公報（第８頁、図２）
【特許文献２】特開平６−３３７６４４号公報（第６頁、図１）
【特許文献３】特開２００１−３５０４３４号公報（第９頁、図７）
【発明の概要】
【発明が解決しようとする課題】
【０００６】
上記特許文献１のような技術では、防水加工が施された表示ユニットを用いることで、これが複数搭載される筐体の防水性は必要なく、製作性がよい。しかし表示ユニットの他に別途防水対策を施した電源装置が必要となる。また筐体の前面に多数の開口部を設ける必要があるため、材料の歩留りが悪く、経済的でないという問題がある。
【０００７】
また上記特許文献２のような技術では、ディスプレイ装置同士の表示面の寸法精度を高精度に確保することができるが、ディスプレイ装置同士を連結するための連結金具が必要であり、その連結金具は複数の板材が接合された複雑な形状であり、コスト高である。
【０００８】
また上記特許文献３のような技術では、特許文献２と同様ディスプレイ装置同士の表示面の寸法精度を確保することができるが、ディスプレイ装置同士を連結するための連結具あるいは位置決めのためのロッドといった特殊な部品が必要となり、コスト高である。
【０００９】
本発明は、上記のような問題点を解決するためになされたものであり、筐体の設計自由度が高く、組み立てが簡単なディスプレイ装置を提供することを目的としている。
【課題を解決するための手段】
【００１０】
本発明は、マトリクス状に配置された複数の表示ユニットが筐体に固定されたディスプレイ装置であって、筐体が、四角形の枠形状の周囲フレームと、この周囲フレームに固定された複数の交差する横フレームと縦フレームとで構成され、複数の交差する横フレームと縦フレームとが、交差部分で離散的に締結される締結手段により締結されており、横フレームと縦フレームとに形成されたスリット同士が嵌合しており、筐体の背面に補強用フレームが、横フレームと前記縦フレームのうち少なくとも一方のフレームに、スリットを挟んで締結されているものである。
【発明の効果】
【００１１】
本発明によれば、筐体の設計自由度が高く、組み立てが簡単なディスプレイ装置を提供することができる。
【図面の簡単な説明】
【００１２】
【図１】本発明の実施の形態１によるディスプレイ装置の概略構成を示す外観の斜視図である。
【図２】本発明の実施の形態１によるディスプレイ装置の概略構成を示す外観の分解斜視図である。
【図３】本発明の実施の形態１によるディスプレイ装置の表示ユニットの概略構成を示す側面断面図である。
【図４】本発明の実施の形態２によるディスプレイ装置の概略構成を示す外観の分解斜視図である。
【図５】本発明の実施の形態２によるディスプレイ装置の筐体の概略構成を示す斜視図である。
【図６】本発明の実施の形態３によるディスプレイ装置の筐体の概略構成を示す斜視図である。
【図７】本発明の実施の形態３によるディスプレイ装置の筐体の概略構成を一部分解して示す斜視図である。
【図８】本発明の実施の形態４によるディスプレイ装置の筐体の概略構成を分解して示す斜視図である。
【図９】本発明の実施の形態４によるディスプレイ装置の筐体の要部の構成を分解して示す拡大斜視図である。
【図１０】本発明の実施の形態４によるディスプレイ装置の筐体の要部の構成を、実施の形態５によるディスプレイ装置と関連付けて説明するための拡大斜視図である。
【図１１】本発明の実施の形態５によるディスプレイ装置の筐体の概略構成を斜め下方から見て示す斜視図である。
【図１２】本発明の実施の形態５によるディスプレイ装置の筐体の要部の組み立てを説明するための分解斜視図である。
【図１３】本発明の実施の形態６によるディスプレイ装置の筐体の概略構成を一部分解して示す斜視図である。
【図１４】本発明の実施の形態６によるディスプレイ装置の筐体の要部の組み立てを説明するための分解斜視図である。
【図１５】本発明の実施の形態６によるディスプレイ装置の要部の組み立てを説明するための斜視図である。
【図１６】本発明の実施の形態６によるディスプレイ装置の要部の組み立てを説明するための別の斜視図である。
【発明を実施するための形態】
【００１３】
実施の形態１．
本発明の実施の形態１によるディスプレイ装置について、図を用いて説明する。図１は、本発明の実施の形態１によるディスプレイ装置１を斜め上方から見た外観の斜視図である。ディスプレイ装置１は、箱状に形成された筐体２に複数の表示ユニット３がマトリクス状に取り付けられて構成されている。
【００１４】
図２は、本発明の実施の形態１によるディスプレイ装置１を一部分解して示す、斜め上方から見た斜視図である。筐体２は、鋼板により箱状に形成され、前面に表示ユニット３を複数実装するための矩形状の開口部４がマトリクス状に設けられている。表示ユニット３は、ネジ５にて筐体２に取り付けられる。筐体２の背面には、故障した表示ユニット３を交換したり、その他メンテナンスを行うために、カバー（図示せず）が設けられている。
【００１５】
図３は本発明の実施の形態１によるディスプレイ装置の表示ユニット３を側面から見た断面図である。表示ユニット３は、ケース６の内部にプリント配線基板７と制御回路基板８および電源装置９が内蔵されている。ケース６の背面には他の表示ユニット３と接続したり、また信号線を接続するためのコネクタ１０が実装されている。このコネクタ１０は、防水接続コネクタであり、配線を接続することで防水性が確保される。
【００１６】
プリント配線基板７の表面には、赤色、緑色、または青色のそれぞれに発光する発光素子であるＬＥＤ１１を一組としてマトリクス状に配置することで、表示面１２が形成されている。さらに、表示面１２には、表面からの視認性を良くするために、遮光用のルーバー１３が実装されており、以上の部品で表示ユニット３が構成されている。
【００１７】
またこの表示ユニット３は、図３に示したようにコネクタ１０の接続部分を除いて、基板と電源を含む表示ユニット全体が樹脂封止加工あるいはフィルムシートによるラミネート加工により防水加工１４が施されている。またコネクタ１０は、前述のように配線を接続することで防水性が確保される。これにより、配線が接続された状態では基板と電源を含む表示ユニット３が単独で防水構造となる。
【００１８】
従来は、表示パネルとしての基板に配置された発光素子に電力を供給するための電源を表示ユニット毎に設けるという発想は無かった。電源は、例えば図１に示す程度の個数の表示パネルに対して１個備えるのが一般的であった。当業者にとって、電源全体のコストや組み立ての容易性などから、共通電源が常識的である、という通念があったからだと考えられる。しかし、本願の発明者らは、装置全体の防水や組み立てコストを検討した結果、図３に示すように、一つの表示ユニットに一つの電源を備え、表示ユニット毎に防水処理を施し、それぞれの表示ユニットを単独で防水構造とすることで、筐体を防水構造とする必要がなくなり、表示ユニットが固定された状態の筐体が外部から内部へ雨水などの水が浸入可能な構造でも良くなるため、筐体の設計自由度が高く、組み立てが簡単なディスプレイ装置を提供できることに気づき、本願発明を考案した。筐体の構造の形態については、実施の形態２以降で説明する。
【００１９】
以上のように、実施の形態１によれば、基板と電源を含むそれぞれの表示ユニット３を単独で防水構造とすることで、表示ユニットとは別に防水対策が施された電源装置を準備することなく、またディスプレイ装置の筐体に防水対策を施すことなく、表示ユニットが固定された状態の筐体が外部から内部へ雨水などの水が浸入可能な構造であっても、ディスプレイ装置１の防水性を確保することができる。そのため、筐体２の設計自由度が高く、構造を単純にすることができ、コストを抑制したディスプレイ装置を提供することができる。
【００２０】
実施の形態２．
本発明の実施の形態２によるディスプレイ装置について、図を用いて説明する。図４は、本発明の実施の形態２によるディスプレイ装置１を分解した状態を斜め上方から見た斜視図である。本実施の形態が実施の形態１と異なるのは、筐体２が鋼板によって箱状に形成されたものではなく、長手方向に伸びた鋼板を、長手方向に沿って折り曲げて製作されたフレームを組み合わせて構成されている点である。従来は、筐体の防水対策が必要であったため、筐体を複雑な防水構造としなければならなかったが、実施の形態１で説明した基板と電源を含む表示ユニットが単独で防水構造である表示ユニットを用いることにより、筐体自体の防水対策が不要となる。このため、表示ユニットが固定された状態の筐体が外部から内部へ雨水などの水が浸入可能な構造であってもよいため、フレームの組み合わせのみにより筐体を構成することが可能になったのである。
【００２１】
図５は、本発明の実施の形態２に係るディスプレイ装置１の筐体２を斜め上方から見た斜視図である。四角形の枠形状の周囲フレーム１５の中に横フレーム１６が取り付けられ固定されている。横フレーム１６の固定には、溶接などを用いればよい。フレーム同士の締結部分の防水対策が不要であり、表示ユニットが固定された状態の筐体が外部から内部へ雨水などの水が浸入可能な構造であってもよいため、溶接により接合して固定する場合、例えばスポット溶接のような、離散的に締結する締結手段による締結でもよい。筐体２の大きさは、ディスプレイ装置１の仕様によって適宜決定されれば良く、それに伴い周囲フレーム１５の大きさ、および横フレーム１６の本数も適宜決定されればよい。周囲フレーム１５は、長手方向に伸びた鋼板をプレスブレーキで長手方向に沿って曲げて成形されており、同様に横フレーム１６も、長手方向に伸びた鋼板をプレスブレーキで長手方向に沿って曲げて成形されている。横フレーム１６の長手方向に垂直な断面形状は、Ｌ字状あるいはコの字状、すなわち直角に折れ曲がった形状に成形されており、必要な強度に応じて適宜断面を選択して決定すればよく、その断面寸法も同様に、必要な強度に応じて決定されればよい。
【００２２】
以上のように、実施の形態２によれば、筐体２が長手方向に伸びた平板の鋼板をプレスブレーキよって長手方向に沿って折り曲げて製作されたフレームの組み合わせによってのみ構成されているため、箱状に形成された時のように、鋼板に穴をあけて開口部４を設ける必要がなく、そのため材料の歩留りを悪化させることなく筐体２を製作することができる。また、各フレーム同士の締結部分に防水対策を施す必要が無いため、部品点数も少なく、筐体の組み立て、表示ユニットの装着が簡単なディスプレイ装置を得ることができる。
【００２３】
実施の形態３．
本発明の実施の形態３について、図を用いて説明する。図６は、本発明の実施の形態３によるディスプレイ装置の筐体２を斜め上方から見た斜視図である。本実施の形態が実施の形態２と異なるのは、縦フレーム１７を追加したことである。ディスプレイ装置１が屋外の強風にさらされることが多い場所に設置された場合、周囲フレーム１５と横フレーム１６のみでは、風による荷重に対して十分な剛性を確保できないことが起こり得る。このような場合、縦フレーム１７を追加することが、筐体２の剛性を向上させるのに効果的である。
【００２４】
図７は、本発明の実施の形態３によるディスプレイ装置１の筐体２の構成を一部の縦フレーム１７を分解して示す、斜め上方から見た斜視図である。鋼板がプレスブレーキで折り曲げられてフレームに成形され、このフレームが四角形の枠形状に加工された周囲フレーム１５の中に、同様に鋼板がプレスブレーキで折り曲げられてフレームに成形された横フレーム１６が溶接などで取り付けられているのは、実施の形態２と同様である。縦フレーム１７も他のフレーム同様、鋼板がプレスブレーキで曲げられて成形されており、その長さ寸法は、横フレーム１６の間隔に合わせて決定されればよい。縦フレーム１７は、その上下端部を横フレーム１６に溶接で固定されればよく、また縦フレーム１７の本数は、ディスプレイ装置１に取り付けられる表示ユニット３の数量にあわせて適宜決定されればよい。これにより、鋼板に穴をあけることなく、表示ユニット３を取り付けるための開口部４を形成することができる。
【００２５】
本実施の形態３によるディスプレイ装置においても、実施の形態１で説明した、基板と電源を含む表示ユニットが単独で防水構造である表示ユニットを配置する。このため、表示ユニットが固定された状態の筐体が外部から内部へ雨水などの水が浸入可能な構造であってもよく、フレーム同士の締結部分の防水対策が不要であり、溶接により接合して締結する場合、例えばスポット溶接のような、離散的に締結する締結手段による締結でよい。
【００２６】
以上のように、実施の形態３によれば、筐体２の剛性を向上させつつ、材料の歩留りを悪化させることなく筐体２を製作することができる。また、各フレーム同士の締結部分に防水対策を施す必要が無いため、部品点数も少なく、筐体の組み立て、表示ユニットの装着が簡単なディスプレイ装置を得ることができる。
【００２７】
実施の形態４．
本発明の実施の形態４について、図を用いて説明する。図８は、本発明の実施の形態４によるディスプレイ装置の筐体２の構成を分解して示す斜め上方から見た斜視図である。本実施の形態が実施の形態３と異なるのは、縦フレーム１７の寸法および、横フレーム１６と縦フレーム１７の組立方法である。四角形の枠形状に加工された周囲フレーム１５の中に、横フレーム１６が幅方向全長にわたって取り付けられている。そしてその横フレーム１６に直交して、縦方向全長にわたって縦フレーム１７が取り付けられている。横フレーム１６および縦フレーム１７は、各々リベット１８で周囲フレーム１５に取り付けられる。本実施の形態４によるディスプレイ装置においても、実施の形態１で説明した、基板と電源を含む表示ユニットが単独で防水構造である表示ユニットを配置するため、表示ユニットが固定された状態の筐体が外部から内部へ雨水などの水が浸入可能な構造であってもよく、フレーム同士の締結部分の防水対策が不要であり、リベットによる締結のような、離散的に締結する締結手段が可能となったのである。
【００２８】
図９は、本発明の実施の形態４による筐体２の、横フレーム１６と縦フレーム１７の組立方法を示す斜め上方からの拡大斜視図である。横フレーム１６および縦フレーム１７は、鋼板がプレスブレーキにて断面形状がコの字状（一辺の無い四角形状）となるよう曲げられて成形されており、横フレーム１６にはスリットａ１９が、縦フレーム１７にはスリットｂ２０が加工されている。組立時は、横フレーム１６のコの字内側部に縦フレーム１７のコの字外側部が接するように嵌合する。このときスリットａ１９とスリットｂ２０が互いに嵌合することで横フレーム１６と縦フレーム１７が嵌合するが、横フレーム１６をコの字状に成形した際、曲げ部の内側には曲げＲが存在する。そのため縦フレーム１７は、この横フレーム１６の内曲げＲと干渉し、完全に接することができない。そこで縦フレーム１７の２本のスリットｂ２０の内側に、スリットｃ２１を設けておく。そうすることで横フレーム１６の内曲げＲとの干渉を回避することができ、横フレーム１６のコの字内側部に縦フレーム１７のコの字外側部が接することができる。さらにこのとき、フレーム同士の嵌合がスムーズに行え、また嵌合時の組立ガタを最小限に抑え、かつタレットパンチプレスのような汎用機で加工できるようにするため、スリットａ１９およびスリットｂ２０の幅寸法は、お互いの嵌合相手のフレームに用いられている鋼板の板厚寸法よりも０．１〜０．２ｍｍ程度大きな寸法に設定しておけばよい。この状態で横フレーム１６と縦フレーム１７をリベット１８にて締結することで、組立が完了する。このとき、横フレーム１６および縦フレーム１７の本数は、ディスプレイ装置１に取り付けられる表示ユニット３の数量にあわせて適宜決定されればよい。なお締結に使用するリベット１８の本数は、必要に応じて適宜決定されればよい。また、締結はリベット１８ではなく、ネジ締めあるいはスポット溶接で行ってもよい。フレーム同士の締結部分の防水対策が不要であり、表示ユニットが固定された状態の筐体が外部から内部へ雨水などの水が浸入可能な構造であってもよいため、以上のような、スリットと、リベット、ネジ締めあるいはスポット溶接などの離散的に締結する締結手段が可能となったのである。
【００２９】
以上のように、実施の形態４によれば、縦フレーム１７を細分化することなく、また組立時に隙間の無い連続的な溶接を行うことなく、また材料歩留りを悪化させることなく、フレーム同士の締結部分の防水対策が不要で、誰でも簡単に筐体２を組み立てることができる。
【００３０】
実施の形態５．
本発明の実施の形態５について、図を用いて説明する。図１０は、図９に示した実施の形態４に係るディスプレイ装置の筐体２における、横フレーム１６と縦フレーム１７との嵌合部分の嵌合した状態を斜め上方から見た拡大斜視図である。ディスプレイ装置１が屋外の強風にさらされることが多い場所に設置された場合、筐体２の表面に、風圧２２が繰り返し作用する。そうした場合、横フレーム１６のスリットａ１９にはスリットａ１９を開閉させる繰り返しの力２３が作用する。スリットａ１９を開く、あるいは閉じる力が生じるとき、スリット端部２４には応力集中が生じる。そのため、繰り返しの力２３が作用した場合には、スリット端部２４には当然繰り返し応力が生じることになる。スリット端部２４に応力が集中し、かつそれが繰り返し生じることで、スリットａ１９のスリット端部２４を起点にして、横フレーム１６が疲労破壊を起こす恐れがある。これを防ぐため、スリットａ１９のスリット端部２４に応力集中が生じないよう、横フレーム１６の構造を工夫する必要がある。なお、同様の懸念事項が、縦フレーム１７のスリットｂ２０に対しても当てはまるのは言うまでもない。
【００３１】
図１１は、本実施の形態５に係るディスプレイ装置の筐体２を斜め下方から見た斜視図である。本実施の形態が実施の形態４と異なるのは、筐体２の背面に補強用横フレーム２５が追加されたことである。横フレーム１６と縦フレーム１７とが嵌合した後、横フレーム１６を補強用横フレーム２５と接合する。嵌合及び接合部分について、別図を用いて詳細に説明する。
【００３２】
図１２は、本発明の実施の形態５に係るディスプレイ装置の筐体２の、横フレーム１６、補強用横フレーム２５及び縦フレーム１７の嵌合部分を斜め下方から見た斜視図である。横フレーム１６は鋼板をプレスブレーキで曲げて成形されている。その断面はコの字を基本としており、その上片側面のみが後方に延長されており、さらにその先端で一角曲げられた形状をしている。上下側面及び一角曲げられた先端面２６には、縦フレーム１７と嵌合するためのスリットａ１９が設けられている。縦フレーム１７は横フレーム１６同様に鋼板がプレスブレーキにて曲げられて成形されており、その断面はコの字状である。縦フレーム１７の、横フレーム１６との嵌合面には、嵌合時に横フレーム１６の先端面２６を貫通させるための角穴２７があいており、また両側面には横フレーム１６と嵌合するためのスリットｂ２０が設けられている。そのスリットｂ２０の内側に横フレーム１６との干渉を避けるためのスリットｃ２１が設けられているのは、実施の形態４と同様である。嵌合時には、横フレーム１６の先端面２６を縦フレーム１７の角穴２７を通してスリット同士を嵌合させ、リベット１８にてお互いを締結する。その後横フレーム１６の先端面２６と補強用横フレーム２５とを密着させ、３ヶ所をリベット１８にて締結する。補強用横フレーム２５も、鋼板をプレスブレーキにて曲げて成形され、その断面形状はコの字状である。横フレーム１６の先端面２６の２ヶ所のスリットａ１９の間及びすぐ外側近傍の計３ヶ所をリベット１８で締結することで、風圧によりスリットａ１９が開閉する動きを拘束することができる。スリットａ１９の動きを拘束することで、スリット端部２４への応力の発生を抑制することができ、そのため応力集中が生じず、結果としてスリットａ１９のスリット端部２４を起点とした横フレーム１６の疲労破壊を防ぐことができる。なお同様の対策が縦フレーム１７に対しても有効であるのは、言うまでもない。また横フレーム１６、補強用横フレーム２５および縦フレーム１７の本数は、ディスプレイ装置１に取り付けられる表示ユニット３の数量にあわせて適宜決定されればよい。またフレーム同士の締結が実施の形態４同様ネジ締めあるいはスポット溶接で行ってもよいことは、言うまでもない。
【００３３】
以上のように、本実施の形態５によれば、表示ユニットが固定された状態の筐体が外部から内部へ雨水などの水が浸入可能な構造であってもよいため、フレーム同士の締結部分の防水対策を考慮せずに筐体を設計することができ、隙間のない連続的な溶接接合による締結ではなく、リベットによる締結のような離散的に締結する締結手段だけで、繰り返し作用する風圧による筐体２の疲労破壊を防ぐことができる。
【００３４】
実施の形態６．
本発明の実施の形態６について、図を用いて説明する。図１３は、本発明の実施の形態６に係るディスプレイ装置の筐体２の概略構成を分解して示す斜め上方からの分解斜視図である。本実施の形態６が他の実施の形態と異なるのは、周囲フレーム１５が、２本の横周囲フレーム２８および２本の縦周囲フレーム２９の各辺が独立した計４部品から構成されている点である。横周囲フレーム２８および縦周囲フレーム２９は、いずれも鋼板がシャー切断機あるいはレーザー切断機にて必要展開寸法に切断され、２辺の長辺に沿ってプレスブレーキにて曲げられて成形されている。そのため長手側の寸法は、曲げなどの加工が施されず切断機で切断されたままの状態であるため、長さ寸法精度が確保されている。
【００３５】
図１４は、本発明の実施の形態６に係る周囲フレーム１５の角部における、横周囲フレーム２８と縦周囲フレーム２９を組み立てる際の様子を示した斜め上方からの斜視図である。横周囲フレーム２８と縦周囲フレーム２９には、両長辺部の曲げ面部分および平面部分に、端部から精度よく位置決めされたリベット下穴３０があけられている。この横周囲フレーム２８と縦周囲フレーム２９のリベット下穴３０をリベット１８で締結する。さらに横周囲フレーム２８と縦周囲フレーム２９を締結する角部には、直角に曲がったコーナー金具３１をリベットにて締結する。このコーナー金具３１は、リベット下穴３０の位置および直角の曲げの精度が高精度で確保されている。これらを組み立てることで、高さ寸法精度、幅寸法精度、及び角部の直角度精度が高精度の周囲フレーム１５を製作することができる。このように、本実施の形態６によるディスプレイ装置においてもこの筐体２に、実施の形態１で説明した、基板と電源を含む表示ユニットが単独で防水構造である表示ユニットを配置するため、表示ユニットが固定された状態の筐体が外部から内部へ雨水などの水が浸入可能な構造であってもよいため、フレーム同士の締結部分の防水対策が不要であり、リベットによる締結のような、離散的に締結する締結手段が可能となったのである。本実施の形態６によれば、特に、周囲フレームにおいて、長手方向には曲げなどの加工が施されていない直線状のフレームを、直角に曲がったコーナー金具を用いてリベットにより締結するだけで、防水対策を施さない簡単な構造とすることができる。
【００３６】
実施の形態７．
図１５は、本発明の実施の形態７によるディスプレイ装置を説明するための要部の拡大斜視図である。実施の形態１から実施の形態６で説明したディスプレイ装置を複数配置することにより、さらに大型のディスプレイ装置とすることができる。すなわち、実施の形態１から実施の形態６で説明したディスプレイ装置が複数、隣り合うディスプレイ装置の筐体の外周面の一面同士が接触した状態で固定されて配置された構成とすることができる。図１５は、その一例として、実施の形態６によるディスプレイ装置を隣り合わせて併設する場合の、周囲フレーム１５の角部の様子を説明するために示す、斜め上方からの斜視図である。縦周囲フレーム２９には、リベット３２を通すための下穴と交互に、隣に併設されるディスプレイ装置のリベット３２の頭を逃がすための逃がし穴３３があけられている。これにより、隣り合うディスプレイ装置１の側面に飛び出したリベット３２の頭が、互いに相手側の逃がし穴に隠れるため、周囲フレーム１５同士を密着させて併設することができる。このとき周囲フレームの縦および横方向の寸法は、先述のとおり精度が確保されているため、ディスプレイ装置１同士を密着させて併設することでお互いの位置が決まり、特別な部品を用いて位置を微調整する必要が無くなる。また上下方向に積み重ねて設置する場合においても、同様の構造をとればよいのは、言うまでもない。
【００３７】
図１６は、本発明の実施の形態７によるディスプレイ装置を説明するための要部の別の拡大斜視図である。すなわち、本発明の実施の形態６によるディスプレイ装置を隣り合わせて併設する場合の、周囲フレーム１５の接続部の様子を示した斜め上方からの斜視図である。ディスプレイ装置同士の接続には段付きボルト３４を用いる。段付きボルト３４用の締結穴３５の穴径は、段付きボルト３４の軸径よりも０．１ｍｍ程度大きくしておけばよい。これにより、ディスプレイ装置同士を段付きボルト３４で締結すれば、お互いの前後方向のズレは０．１ｍｍ以下に抑えることができる。
【００３８】
以上のように、本実施の形態７によれば、連結金具やロッド棒といった特殊な工具を用いることなく、ディスプレイ装置同士の前後方向、左右方向、上下方向の寸法精度を確保することができる。
【００３９】
以上では、実施の形態６によるディスプレイ装置を複数、それぞれの筐体の外周面の一面同士が接触した状態で固定して配置するディスプレイ装置を例に、その接続部を説明した。ただし、実施の形態１から実施の形態５によるディスプレイ装置を、複数、隣り合うディスプレイ装置の筐体の外周面の一面同士が接触した状態で固定して配置するディスプレイ装置であっても、連結金具やロッド棒といった特殊な工具を用いることなく、ディスプレイ装置同士の前後方向、左右方向、上下方向の寸法精度を確保することができるのは言うまでもない。
【００４０】
なお、本発明は、その発明の範囲内において、各実施の形態を組み合わせたり、各実施の形態を適宜、変形、省略したりすることが可能である。
【符号の説明】
【００４１】
１  ディスプレイ装置、２  筐体、３  表示ユニット、４  開口部、５  ネジ、６  ケース、７  プリント配線基板、８  制御回路基板、９  電源装置、１０  コネクタ、１１  ＬＥＤ（発光素子）、１２  表示面、１３  ルーバー、１４  防水加工、１５  周囲フレーム、１６  横フレーム、１７  縦フレーム、１８  リベット、１９  スリットａ、２０  スリットｂ、２１  スリットｃ、２２  風圧、２３  繰り返しの力、２４  スリット端部、２５  補強用横フレーム、２６  先端面、２７  角穴、２８  横周囲フレーム、２９  縦周囲フレーム、３０  リベット下穴、３１  コーナー金具、３２  リベット、３３  逃がし穴、３４  段付きボルト、３５  締結穴
【図１】
2019215553.tif 000003
【図２】
2019215553.tif 000004
【図３】
2019215553.tif 000005
【図４】
2019215553.tif 000006
【図５】
2019215553.tif 000007
【図６】
2019215553.tif 000008
【図７】
2019215553.tif 000009
【図８】
2019215553.tif 000010
【図９】
2019215553.tif 000011
【図１０】
2019215553.tif 000012
【図１１】
2019215553.tif 000013
【図１２】
2019215553.tif 000014
【図１３】
2019215553.tif 000015
【図１４】
2019215553.tif 000016
【図１５】
2019215553.tif 000017
【図１６】
2019215553.tif 000018